(57)【要約】      （修正有）【課題】正浸透膜の表面にスケールが析出することを防止し、正浸透膜の性能を維持することのできる正浸透処理システムを提供する。【解決手段】フィード溶液中に含まれる水を、正浸透膜１０を介してフィード溶液より高い浸透圧を有するドロー溶液中に移動させることのできる正浸透処理システムであって、正浸透膜、フィード溶液が供給される第１室２１、ドロー溶液が供給される第２室２２を有し、第１室と第２室とは正浸透膜で仕切られている正浸透膜モジュール１と、第２室から排出されるドロー溶液から水を分離するための水分離装置７２と、ドロー溶液を第２室から水分離装置へ排出するための排出管４１と、水分離装置において濃縮されたドロー溶液を第２室へ供給するための供給管４２と、第２室内のドロー溶液の一部を供給管へ流入させて再循環させるためのバイパス管４３、およびバイパスポンプ８３とを備えることを特徴とする、正浸透処理システム。【選択図】図１
2015188786.tif 000002
【特許請求の範囲】
【請求項１】
フィード溶液中に含まれる水を、正浸透膜を介して、前記フィード溶液より高い浸透圧を有するドロー溶液中に移動させることのできる、正浸透処理システムであって、
前記正浸透膜、ならびに、前記フィード溶液が供給される第１室、および、前記ドロー溶液が供給される第２室を有し、前記第１室と前記第２室とは前記正浸透膜で仕切られている、正浸透膜モジュールと、
前記第２室から排出される前記ドロー溶液から水を分離するための水分離装置と、
前記ドロー溶液を前記第２室から前記水分離装置へ排出するための排出管と、
前記水分離装置において水を分離することにより濃縮された前記ドロー溶液を前記第２室へ供給するための供給管と、
前記第２室内の前記ドロー溶液の一部を前記水分離装置を介さずに前記供給管へ流入させて再循環させるための、バイパス管およびバイパスポンプと
を備えることを特徴とする、正浸透処理システム。
【請求項２】
前記フィード溶液はスケール成分を含み、
前記第１室内の前記フィード溶液中から前記第２室内の前記ドロー溶液中に水が移動することにより、前記フィード溶液が濃縮されたときの前記第１室内の前記フィード溶液の濃度が、前記第１室内において前記スケール成分の析出によりスケールが生成するスケール生成限界濃度より低くなるように、前記バイパスポンプの流量を制御するための制御装置をさらに備えることを特徴とする、請求項１に記載の正浸透処理システム。
【請求項３】
前記制御装置は、前記第２室に流入する直前の前記供給管内を流れる前記ドロー溶液の浸透圧を計測するための計測装置を含み、前記計測装置で計測された前記浸透圧の値に基づいて前記バイパスポンプの流量を制御する装置である、請求項２に記載の正浸透処理システム。
【発明の詳細な説明】
【技術分野】
【０００１】
本発明は、正浸透膜を用いた正浸透処理システムに関する。
【背景技術】
【０００２】
海水、河川水または排水などの処理対象液（フィード溶液）から、正浸透現象を利用して真水を回収するための正浸透処理システムが知られている（例えば、特許文献１参照）。正浸透現象とは、低濃度の溶液中の水がより高濃度（高浸透圧）の溶液に向かって膜を浸透して移動する現象のことである。
【０００３】
正浸透処理では、フィード溶液（Ｆｅｅｄ  Ｓｏｌｕｔｉｏｎ：以下、「ＦＳ」と略す場合がある）より高い浸透圧を有するドロー溶液（Ｄｒａｗ  Ｓｏｌｕｔｉｏｎ：以下、「ＤＳ」と略す場合がある）を用いる。正浸透膜モジュール内において、浸透膜を介してＤＳとＦＳとを接触させると、浸透圧の低いＦＳから浸透圧の高いＤＳへ水が移動する。そして、正浸透膜モジュールを通過した後のＤＳ（すなわち、ＦＳ中から水を回収したＤＳ）から、種々の手法を用いて真水を回収することができる。
【０００４】
ここで、海水、河川水、排水などのＦＳは、一般的にスケール成分（炭酸カルシウム、炭酸マグネシウム等）を含有しているが、このスケール成分の濃度がスケール生成限界濃度を超えると、ＦＳ中のスケール成分が析出してスケールが生成する場合がある。
【０００５】
正浸透処理システムでは、通常、正浸透膜モジュールを通過した後のＤＳ（すなわち、ＦＳ中から水を回収したＤＳ）から別の装置によって水を分離回収し、残った高濃度のＤＳは正浸透膜モジュールに戻されて再使用される。この場合、ＤＳからの水の回収効率を高めようとすれば、正浸透膜モジュールに再供給されるＤＳは必然的に高濃度になってしまう。なお、特許文献１のように、水貯留タンクからの水をＤＳと共に膜モジュールに供給してＤＳを適度に希釈することは可能であるが、一旦回収した水を消費するため、全体としての水の回収効率上望ましくない。
【０００６】
しかし、ＤＳが高濃度になり、ＤＳとＦＳの浸透圧差が過度に大きくなる場合、正浸透膜の表面付近において、ＦＳが急激に濃縮され、それと同時にスケール成分も濃縮されて高濃度となるため、スケールが析出して正浸透膜の表面にスケールが生成され易くなる。正浸透膜の表面に生成されたスケールは、膜の目詰まりを生じ、正浸透膜の性能を著しく低下させてしまう。
【０００７】
このような正浸透膜の目詰まりを解消するために、特許文献１（特開２０１２−２５０２００号公報）では、正浸透膜の両側に供給される水の濃度差を駆動力として正浸透膜の逆洗を実施することで、正浸透膜の表面または内部に付着した膜の孔の目詰まりを生じさせる物質を物理的に剥離および洗浄する方法が開示されている。
【先行技術文献】
【特許文献】
【０００８】
【特許文献１】特開２０１２−２５０２００号公報
【発明の概要】
【発明が解決しようとする課題】
【０００９】
しかし、特許文献１に開示される方法では、システム内のポンプやバルブを定期的に操作して、正浸透処理を中断して逆洗を行う必要がある。また、スケールが難洗浄性である場合は、正浸透膜を洗浄しても膜性能を回復させることは難しい。
【００１０】
したがって、正浸透膜の表面におけるスケールの生成自体を抑制することで、正浸透膜の洗浄を行わずに膜性能を維持することのできる正浸透処理システムの提供が望まれる。しかしながら、正浸透膜を用いた正浸透処理システムにおいて、正浸透膜の表面におけるスケール生成を抑制する方法については、これまで十分に検討されていなかった。
【００１１】
本発明は、上記の課題に鑑み、正浸透膜の表面におけるスケール生成を抑制し、正浸透膜の性能を維持することのできる正浸透処理システムを提供することを目的とする。
【課題を解決するための手段】
【００１２】
（１）フィード溶液中に含まれる水を、正浸透膜を介して、前記フィード溶液より高い浸透圧を有するドロー溶液中に移動させることのできる、正浸透処理システムであって、
前記正浸透膜、ならびに、前記フィード溶液が供給される第１室、および、前記ドロー溶液が供給される第２室を有し、前記第１室と前記第２室とは前記正浸透膜で仕切られている、正浸透膜モジュールと、
前記第２室から排出される前記ドロー溶液から水を分離するための水分離装置と、
前記ドロー溶液を前記第２室から前記水分離装置へ排出するための排出管と、
前記水分離装置において水を分離することにより濃縮された前記ドロー溶液を前記第２室へ供給するための供給管と、
前記第２室内の前記ドロー溶液の一部を前記水分離装置を介さずに前記供給管へ流入させて再循環させるための、バイパス管およびバイパスポンプと
を備えることを特徴とする、正浸透処理システム。
【００１３】
（２）前記フィード溶液はスケール成分を含み、
前記第１室内の前記フィード溶液中から前記第２室内の前記ドロー溶液中に水が移動することにより、前記フィード溶液が濃縮されたときの前記第１室内の前記フィード溶液の濃度が、前記第１室内において前記スケール成分の析出によりスケールが生成するスケール生成限界濃度より低くなるように、前記バイパスポンプの流量を制御するための制御装置をさらに備え、上記（１）に記載の正浸透処理システム。
【００１４】
（３）前記制御装置は、前記第２室に流入する直前の前記供給管内を流れる前記ドロー溶液の浸透圧を計測するための計測装置を含み、前記計測装置で計測された前記浸透圧の値に基づいて前記バイパスポンプの流量を制御する装置である、上記（２）に記載の正浸透処理システム。
【発明の効果】
【００１５】
本発明によれば、正浸透膜の表面におけるスケール生成を抑制し、正浸透膜の性能を維持することのできる正浸透処理システムを提供することができる。
【図面の簡単な説明】
【００１６】
【図１】実施形態１における正浸透処理システムを示す模式図である。
【図２】実施形態２の正浸透処理システムに用いられる正浸透膜モジュールを示す断面概略図である。
【発明を実施するための形態】
【００１７】
以下、本発明の正浸透処理システムの実施形態について、図面を参照して説明する。なお、図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００１８】
（実施形態１）
本実施形態の正浸透処理システムは、ＦＳ中に含まれる水を、正浸透膜を介して、フィード溶液より高い浸透圧を有するドロー溶液中に移動させる正浸透処理を行うことのできるシステムである。
【００１９】
正浸透処理によって、例えば、海水等のＦＳから淡水を取出したり、淡水を取出すことによりＦＳを濃縮したり、浸透流からエネルギーを回収したりすることができる。エネルギーを回収する方法としては、例えば、正浸透膜の第１面側に高濃度で浸透圧が高いＤＳ（海水等）を加圧状態で流し、正浸透膜の第２面側に低濃度で浸透圧が低いＦＳ（淡水等）を低圧で流すことで、ＤＳ側に淡水が移動して加圧状態の海水の量が増加し、その増加分の圧力でタービン等を回転させてエネルギーを得る方法が挙げられる。
【００２０】
図１を参照して、本実施形態の正浸透処理システムは、基本的に、
（ｉ）正浸透膜１０、ならびに、フィード溶液が供給される第１室２１、および、ドロー溶液が供給される第２室２２を有し、第１室２１と第２室２２とは正浸透膜１０で仕切られている、正浸透膜モジュール１と、
（ii）第２室２２から排出されるドロー溶液から水を分離するための水分離装置７２と、
（iii）ドロー溶液を第２室２２から水分離装置７２へ排出するための排出管４１と、
（iv）水分離装置７２において水を分離することにより濃縮されたドロー溶液を第２室２２へ供給するための供給管４２と、
（ｖ）第２室２２内のドロー溶液の一部を水分離装置７２を介さずに供給管４２へ流入させて再循環させるための、バイパス管４３およびバイパスポンプ８３とを備える。
【００２１】
本実施形態において、フィード溶液はスケール成分を含んでいる。スケール成分とは、フィード溶液中に溶解している成分であり、その析出によりスケール（堆積物）を生成する成分である。スケール成分としては、例えば、炭酸カルシウムおよび炭酸マグネシウムが挙げられる。スケール成分を含むフィード溶液としては、例えば、海水、河川水、汽水、生活排水、または、油田もしくはガス田の排水が挙げられる。なお、フィード溶液中には、溶解していない成分が含まれていてもよい。
【００２２】
ドロー溶液は、フィード溶液より高い浸透圧を有する液体であれば特に限定されないが、ドロー溶液としては、例えば、無機塩溶液、糖溶液、または、水に対する溶解度が高い気体（アンモニアや二酸化炭素など）、有機物、磁性体微粒子もしくは有機高分子などを含む液体が挙げられる。なお、ドロー溶液中には、溶解していない成分が含まれていてもよい。
【００２３】
正浸透膜の形状としては、特に限定されないが、例えば、平膜、スパイラル膜または中空糸膜が挙げられる。本実施形態では、正浸透膜として、図１において簡略化して描かれるような平膜を描いている。正浸透膜の材質としては、特に限定されないが、例えば、酢酸セルロース、ポリアミドまたはポリスルホンが挙げられる。前記正浸透膜は、ＦＳとＤＳを流すためにモジュールに組み立てられる。モジュールの形態は特に限定されないが、中空糸膜を用いる場合は、中空糸膜をストレート配置した軸流型モジュールや、中空糸膜を芯管に巻きつけたクロスワインド型モジュールなどが挙げられる。平膜の場合は、平膜を積み重ねた積層型モジュールや、平膜を封筒状とし、芯管に巻きつけたスパイラル型モジュールなどが挙げられる。
【００２４】
以下、図１を参照して、ＦＳが海水であり、海水から淡水を製造する場合について、より具体的に、本実施形態の正浸透処理システムについて説明する。
【００２５】
本実施形態の正浸透処理システムは、
取り入れた海水の前処理を行う前処理装置７１と、
前処理装置７１に接続され、前処理装置７１から排出される汚泥等が送られる前処理排液タンク７８と、
前処理装置７１にポンプ８１を介して接続され、前処理された海水が供給される正浸透膜モジュール１の第１室２１と、
第１室２１に接続され、第１室２１を通過した海水を回収する濃縮海水タンク７９と、
正浸透膜モジュール１の正浸透膜１０と、
ＤＳが供給される正浸透膜モジュール１の第２室２２と、
第２室２２にバルブ９１を有する排出管４１を介して接続され、第２室２２を通過したドロー溶液が送液される水分離装置７２と、
水分離装置７２に接続されるとともに、正浸透膜モジュール１にバルブ９２、ポンプ８２および制御装置７４を有する供給管４２を介して接続されるＤＳ調整装置７３と、
第２室２２に接続されるとともに、供給管４２の制御装置７４とバルブ９２との間に接続され、バイパスポンプ８３を有するバイパス管４３と、
水分離装置７２に接続され、水分離装置７２でＤＳから分離された水が送液される水貯留タンク７５と、
から構成される。
【００２６】
なお、前処理装置７１は正浸透膜モジュール１の第１室２１の第１端（上流側）に接続されており、濃縮海水タンク７９は正浸透膜モジュール１の第１室２１の第２端（下流側）に接続されている。また、ＤＳ調整装置７３は供給管４２を介して正浸透膜モジュール１の第２室２２の第１端（上流側）に接続されており、水分離装置７２は排出管４１を介して正浸透膜モジュール１の第２室２２の第２端（下流側）に接続されている。また、バイパス管４３は、供給管４２と正浸透膜モジュール１の第２室２２の第２端（下流側）とに接続されている。
【００２７】
前処理装置７１は、図示しないポンプで取水した海水を砂濾過やＵＦ膜（Ｕｌｔｒａｆｉｌｔｒａｔｉｏｎ：限外ろ過膜）、ＭＦ膜（Ｍｉｃｒｏｆｉｌｔｒａｔｉｏｎ：精密ろ過膜）、カートリッジフィルターなどによって処理する装置であり、これにより濁質を除去し、正浸透膜モジュール１に適合する水質の海水が得ることができる。必要により、ｐＨの調整手段や塩素添加装置などを付け加えることも可能である。
【００２８】
正浸透膜モジュール１は、正浸透膜１０で仕切られた第１室２１および第２室２２を有しており、第１室２１には前処理装置７１から海水が供給され、第２室２２にはＤＳ調整装置からＤＳが供給される。
【００２９】
そして、正浸透膜１０の両側の第１室２１と第２室２２との間には、フィード溶液とドロー溶液の浸透圧の差に応じた駆動力が生じる。このため、ドロー溶液（高浸透圧溶液）の浸透圧を海水の浸透圧より大きくすれば、海水からドロー溶液中に水を回収することができる。
【００３０】
なお、海水およびＤＳの浸透圧は、以下の式（１）から算出することができる。
Π＝ｉＲＴＣ  ・・・（１）
式（１）において、Πは浸透圧、Ｒは気体定数、Ｔは絶対温度、Ｃは溶液のモル濃度、ｉはファント・ホッフの係数である。なお、ファント・ホッフの係数ｉは、溶質が電解質の場合で電離が生じる影響を表す係数である。ＤＳに高分子を用いる場合、濃度と浸透圧の関係はファント・ホッフの法則に当てはまらないことが知られている。その場合には、予め濃度と浸透圧の関係を明らかにする必要がある。
【００３１】
正浸透膜モジュール１の第１室２１から排出される濃縮海水は、濃縮海水タンク７９に送られ、排水処理操作後、海洋へ放流される。
【００３２】
次に、正浸透膜モジュール１の第２室２２を通過後に排出されたＤＳは、バルブ９１を開いた状態で排出管４１を経由して水分離装置７２に送られる。ここで、ＤＳ中に浸透圧を高めるために添加されているドロー物質と、ＤＳ中に含まれる水とを分離する。水分離装置７２によって実施される分離方法としては、ドロー物質の種類によって適合するものが選択される。例えば、無機塩や低融点物質等の場合は晶析処理、水に対する溶解度が高い気体の場合はガス放散、磁性体微粒子の場合は磁気分離、糖溶液の場合はイオン交換、刺激応答性高分子の場合はその刺激（温度、ｐＨ、電気、磁場、光など）を選択することができる。また、共通の分離方法として、例えば、蒸留、逆浸透膜処理が挙げられる。
【００３３】
分離された水は、水貯留タンク７５に送られる。水貯留タンク７５に貯留された水は、必要により次の精製工程等に送られる。
【００３４】
一方、水が分離された後に残るドロー物質を高濃度で含むＤＳは、ＤＳ調整装置７３に送られる。ＤＳ調整装置７３に送られるＤＳの浸透圧は、水分離装置７２の仕様により異なるが、少なくとも水分離装置７２の入口での浸透圧より高い。
【００３５】
ＤＳ調整装置７３で温度等が調整されたＤＳは、バルブ９２が開かれた状態でポンプ８２により供給管４２を介して、正浸透膜モジュール１の第２室２２に戻される。ここで、第２室２２内のＤＳの一部は、第２室２２の第１端（下流側）から取り出されて、バルブ９３が開かれた状態でバイパスポンプ８３によりバイパス管４３を介して（水分離装置７２を介さずに）、供給管４２へ送液される。これにより、水を使用せずに、第２室２２に供給されるＤＳを希釈することができる。
【００３６】
本実施形態において、制御装置７４は、第２室２２に流入する直前の供給管４２内を流れるＤＳの浸透圧を計測するための計測装置と、バイパスポンプ８３の流量を制御するための制御装置とを含む。制御装置７４は、この計測装置によって計測されたＤＳの浸透圧の値に基づいて、バイパスポンプ８３の流量を制御する。これにより、第１室２１内のＦＳ中から第２室２２内のＤＳ中に水が移動することにより、フィード溶液が濃縮されたときの第１室２１内のＦＳの濃度が、第１室２１内においてスケール生成限界濃度（スケール成分の析出によりスケールが生成する濃度と生成しない濃度との臨海値）より低くなるように制御することができる。
【００３７】
具体的には、例えば、あらかじめ正浸透膜モジュール１の第１室２１に供給される海水についてスケール生成限界濃度を調べておき、ＤＳとＦＳの間の浸透圧差とＦＳ中のスケール成分の濃度との関係を求めておくことで、ＦＳ中のスケール成分の濃度がスケール生成限界濃度に達するときのＤＳの浸透圧を基準値として求めることができる。そして、ＤＳの浸透圧の計測値がスケール生成限界濃度より小さくなるように、制御装置７４により、ＤＳの浸透圧の計測値に基づいて、バイパスポンプ８３の流量を制御する。
【００３８】
ＦＳは、正浸透膜１０の第１室２１内を第１端側（上流側）から第２端側（下流側）に移動するにつれて徐々に濃縮される。反対に、ＤＳは、正浸透膜１０の第２室２２内を第１端側（上流側）から第２端側（下流側）に移動するにつれて徐々に希釈される。このため、本実施形態では、正浸透膜１０の第１室２１内を第１端側（上流側）において、特にＤＳとＦＳの浸透圧差が大きく、局部的にＦＳが高濃度に濃縮されるため、スケールが生成し易い。したがって、特にこのようなスケールが生成し易い部分において、ＦＳがスケール生成限界濃度に達しないよう考慮して、制御装置７４などによって再循環させるＤＳの量を制御することが好ましい。
【００３９】
本実施形態では、計測装置で計測される指標値が浸透圧である場合について説明したが、ドロー物質の種類に応じて他の指標値を用いてもよい。例えば、ドロー物質が塩の場合は電気伝導度を計測してもよく、ドロー物質が高分子の場合は粘度、圧損もしくは流量を計測してもよく、ドロー物質が糖の場合は屈折率を計測してもよい。
【００４０】
上記の処理により、正浸透処理と水分離処理が行われ、連続的に海水から水を製造することができる。
【００４１】
本実施形態の正浸透処理システムにおいては、希釈されて排出されるＤＳの一部を、正浸透膜モジュールに供給されるＤＳに混合することで、正浸透膜モジュールに供給されるＤＳが希釈される。これにより、ＤＳとＦＳの浸透圧差が過度に大きくなることを防止して、正浸透膜の表面におけるスケール生成を抑制することができる。したがって、正浸透膜の性能を維持することのできる正浸透処理システムを提供することができる。
【００４２】
また、本実施形態においては、希釈されたＤＳの一部を再循環することにより、正浸透膜処理手段へ供給するＤＳの流量が増加する。これにより、ＤＳの流速が上がり、ＤＳの境膜抵抗（濃度分極抵抗）が低下して、ＤＳとＦＳとの間の有効濃度差が維持されるため、正浸透処理の効率が向上する。
【００４３】
なお、逆浸透処理は、人為的に強い圧力を加えることにより、逆に高濃度の処理対象液から低濃度液（水など）側に水を移動させて水を回収する処理であるが、強い圧力を加えるためのエネルギー消費量が極めて多く、エネルギー効率が低い。これに対して、正浸透処理は、エネルギー効率が高いという利点を有している。
【００４４】
（実施形態２）
本実施形態では、正浸透膜として中空糸膜１０を有する中空糸膜モジュール（図２を参照）を正浸透膜モジュール１として使用している点で、実施形態１とは異なる。なお、ここでは、実施形態１と同様の点についての重複する説明は省略する。
【００４５】
図２を参照して、本実施形態の中空糸膜モジュールは、中心に配置された複数の孔３ａを有する多孔分配管３と、その周囲に配置された複数の中空糸膜１０と、多孔分配管３および複数の中空糸膜１０をそれらの両端で固定する樹脂壁６１とからなる中空糸膜エレメントを備える。なお、複数の中空糸膜１０はその両端に開口部を有している。該中空糸膜エレメントは、保持部材５１にＯ−リング５１ａが介在した状態で保持されている。
【００４６】
本実施形態の中空糸膜モジュールにおいては、低浸透圧のＦＳが中空糸膜１０の内部２１（第１室）を流れ、高浸透圧のＤＳが中空糸膜１０の外側２２（第２室）を流れる。すなわち、ＦＳ供給口１１ａより供給されるＦＳは、中空糸膜１０の第１開口部１０ａより中空糸膜１０の内部２１（第１室）に流入して、中空糸膜１０の第２開口部１０ｂから流出し、ＦＳ排出口１１ｂよりモジュール外に取り出される。また、ＤＳ供給口１２ａより供給されるＤＳは、多孔分配管３内に流入し、複数の孔３ａを通って中空糸膜１０の外側２２（第２室）に供給され、ＤＳ排出口１２ｂから取り出される。
【００４７】
実施形態１において、平膜状の正浸透膜を有する正浸透膜モジュール１に代えて、このような中空糸膜モジュールを用いることもできる。
【００４８】
ＦＳは、中空糸膜１０の内部２１（第１室）を第１開口部１０ａ側から第２開口部１０ｂ側に移動するにつれて徐々に濃縮される。一方、ＤＳは、ＤＳ供給口１２ａより供給され多孔分配管３内に流入するので、多孔分配管３の近傍にある中空糸膜の外側には常にフレッシュで浸透圧の高いＤＳが供給される。これにより、多孔分配管３の近傍にある中空糸膜の内部２１（第１室）を流れるＦＳは高濃度に濃縮されるため、多孔分配管３の近傍でスケールが発生しやすい。
【００４９】
なお、ＦＳを中空糸膜の外側２２に流し、ＤＳを中空糸膜の内部２１に流す場合は、ＦＳは、中空糸膜１０の外側２２を多孔分配管３側から圧力容器１５側に移動するにつれて徐々に濃縮される。この場合、ＤＳは、ＤＳ供給口１１ａから流入し、第１開口部１０ａから中空糸膜の内部２１に流入するので、第１開口部１０ａ側には第２開口部１０ｂ側に比べて常にフレッシュで浸透圧の高いＤＳが供給される。これにより、第１開口部１０ａ側を流れるＦＳは高濃度に濃縮されるため、第１開口部１０ａ側でスケールが発生しやすい。
【００５０】
したがって、特にこのようなスケールが生成し易い部分において、ＦＳがスケール生成限界濃度に達しないよう考慮して、制御装置７４などによって再循環させるＤＳの量を制御することが好ましい。
【符号の説明】
【００５１】
１  正浸透膜モジュール、１０  正浸透膜（中空糸膜）、１０ａ  第１開口部、１０ｂ  第２開口部、１１ａ  ＦＳ供給口、１１ｂ  ＦＳ排出口、１２ａ  ＤＳ供給口、１２ｂ  ＤＳ排出口、１３，１４  壁部材、１５  圧力容器、２１  第１室（中空糸膜の内部）、２２  第２室（中空糸膜の外側）、３  多孔分配管、３ａ  孔、４１  排出管、４２  供給管、４３  バイパス管、５１，５２  保持部材、５１ａ，５２ａ  Ｏ−リング、６１，６２  樹脂壁、７１  前処理装置、７２  水分離装置、７３  ＤＳ調整装置、７４  制御装置、７５  水貯留タンク、７８  前処理排液タンク、７９  濃縮海水タンク、８１，８２  ポンプ、８３  バイパスポンプ、９１，９２，９３  バルブ。
【図１】
2015188786.tif 000003
【図２】
2015188786.tif 000004